(57)【要約】【課題】使用しない時には、壁内に収納できて、邪魔にならず、使用する時に、壁から室内側へ突出させて良好に使用できる手すりの提供を目的とする。【解決手段】廊下，階段，トイレ等の壁１内に収納ボックス２を埋設し、この収納ボックス２内に手すり４を設けるとともに、この手すり４を、収納ボックス２内に収納される収納位置から、壁１から室内側へ突出する使用位置に亘り、回動可能に構成する。【選択図】                図１
2004162317.tif 000002
【特許請求の範囲】
【請求項１】
廊下，階段，トイレ等の壁内に収納ボックスを埋設し、該収納ボックス内に手すりを設けるとともに、該手すりを、前記収納ボックス内に収納される収納位置から、前記壁から室内側へ突出する使用位置に亘り、回動可能に構成したことを特徴とする手すり。
【請求項２】
前記収納ボックスには、照明手段を設けたことを特徴とする請求項１に記載の手すり。
【発明の詳細な説明】
【０００１】
【発明の属する技術分野】
この発明は、手すりに関するものである。
【０００２】
【従来の技術】
従来、高齢者や身体の不自由な人がいる家庭においては、廊下，階段，トイレ等に手すりを設けているが、従来の手すりは、壁面から室内側へ突出して設けられていた（例えば、特許文献１参照。）。
【０００３】
【特許文献１】
特開平９−２４２２９０号公報
【０００４】
【発明が解決しようとする課題】
従来の手すりは室内側に突出するために、荷物を移動するような際には、手すりが邪魔になってしまい、また、室内側に手すりが突出するため、室内の空間が狭められたり、圧迫感を生ずるという問題点があった。
【０００５】
【課題を解決するための手段】
本発明は、上記従来の問題点に鑑み案出したものであって、邪魔になることがなく、また良好に使用できる手すりを提供せんことを目的とし、その第１の要旨は、廊下，階段，トイレ等の壁内に収納ボックスを埋設し、該収納ボックス内に手すりを設けるとともに、該手すりを、前記収納ボックス内に収納される収納位置から、前記壁から室内側へ突出する使用位置に亘り、回動可能に構成したことである。
また第２の要旨は、前記収納ボックスには、照明手段を設けたことである。
【０００６】
【発明の実施の形態】
以下、本発明の実施例を図面に基づいて説明する。
図１は、手すりの設置状態の要部斜視構成図であり、また図２は、縦断面拡大構成図である。
【０００７】
廊下または階段等の壁１内に収納ボックス２が埋設されており、この収納ボックス２内に、回動可能に手すり４が設けられている。
収納ボックス２は、室内側が開放された略コの字状断面を成し、上面片２ａと背面片２ｂと底面片２ｃで構成されており、上面片２ａは、埋設状態でその室内端が壁１と面一状を成す長さに設定されており、また底面片２ｃは、上面片２ａよりも短く設定されて、埋設状態では図２に示すように、底面片２ｃの室内端から、上方へ一段高く、壁１による壁支持面１ａが略水平状に形成されている。
【０００８】
この収納ボックス２の底面片２ｃの室内端側には、長手方向に間隔をおいて一対の軸受部３，３が固設され、この軸受部３，３に、手すり４のアーム部４ｂ，４ｂの先端の軸が回動可能に支持されて、手すり４は、左右のアーム部４ｂ，４ｂを一体状に連結する握り部４ａでコの字状に形成されており、想像線で示す収納位置では、収納ボックス２内に縦方向に収納されるものであり、この想像線で示す収納状態から室内側へ回転させると、手すり４のアーム部４ｂ，４ｂが壁支持面１ａに当接して、ほぼ水平状態に保持され、その状態で手すり４の握り部４ａが壁１から室内側に突出し、良好に握り部４ａを手で握り、身体を支えることができるものとなる。
即ち、この壁支持面１ａに支持されて、壁１から室内側へ突出する状態は使用位置である。
【０００９】
なお、収納ボックス２内の軸受部３の奥側には、縦方向に透光板５が立設されており、この透光板５の上部部位には、室内側に係止部材６が固定されている。
この係止部材６は、固定片６ａが透光板５に固定され、固定片６ａから突出して、半円形状に上方へ膨出する係止部６ｂが形成され、更に、上方側へ湾曲したガイド片６ｃが形成されて構成されている。
【００１０】
手すり４を使用位置から収納位置に戻す際には、手すり４の握り部４ａを、ガイド片６ｃにガイドさせて係止部６ｂ内に押し込むことにより、係止部６ｂに良好に握り部４ａが係合されて、収納位置に保持されるものである。
なお、使用する場合には、握り部４ａを室内側へ引き出すことにより、良好に握り部４ａを係止部６ｂから離脱させて、使用位置へ回動させることができるものである。
【００１１】
なお、収納ボックス２の透光板５の奥側の背面片２ｂには、照明ランプ７や蛍光灯等の照明手段を設けておき、この照明ランプ７等からの光が、透光板５を通過して室内側に照射されるように構成しておくことができる。
【００１２】
このような構成の手すりは、既存の廊下，階段等の壁面に、収納ボックス２を埋設して設置することができ、また新築の家においても、将来、高齢となったり、身体が不自由になった場合に必要となるため、予め壁面１に収納ボックス２を埋設して設置しておくことができるものである。
【００１３】
使用しない時には、手すり４は、収納ボックス２内、即ち壁１内に良好に収納されており、壁１から室内側へ突出しないため、室内側から見て圧迫感が生ずることがなく、また邪魔になることがない。
また、使用する時には、ワンタッチで手すり４を壁１から室内側へ突出させて、身体を支える等に使用することができ、収納位置から使用位置への回動操作も容易に行えるものである。
【００１４】
なお、夜間等において、照明ランプ７からの光により、手すり４の位置を良好に確認して使用することができ、照明ランプ７は、手すり４の場所を良好に知らせる機能を発揮するとともに、廊下や階段の夜間照明の機能をも発揮することができるものである。
【００１５】
なお、図３の室内側から見た壁１の正面図で示すように、家の柱８，８の間隔は９００ｍｍ程度であるため、この柱８，８間の内側に嵌まり込む長さに、収納ボックス２を予め設定しておけば、収納ボックス２を、それぞれの柱８，８間に埋設して、複数の収納ボックス２を連続状に設置することができるものとなる。
【００１６】
なお、収納ボックス２を、例えば図４に示すように、トイレの壁１内に縦方向に埋設して設置することもでき、図４では、収納ボックス２を縦方向に埋設してあるため、手すり４も縦方向に長いものとなり、収納ボックス２内に想像線で示すように良好に収納させて、壁１からの突出を無くして、トイレ内を広く使用することができ、また使用する際には、手すり４を回転させて、壁１から突出状態とさせて使用することができるものであり、便器に腰を降ろす際や、便器から立ち上がる際に、この手すり４で身体を支えて、便器への立ち座り動作を良好に行うことができるものとなる。
【００１７】
【発明の効果】
本発明の手すりは、廊下，階段，トイレ等の壁内に収納ボックスを埋設し、収納ボックス内に手すりを設けるとともに、手すりを、収納ボックス内に収納される収納位置から、壁から室内側へ突出する使用位置に亘り、回動可能に構成したことにより、使用しない時には、収納ボックス内に収納させて、壁から突出しないようにしておくことができ、室内に突出しないために、室内で荷物の移動等を良好に行うことができ、室内を広く確保することができるものとなる。
また、使用する際には、手すりを回転させて壁から突出させ、良好に使用することができる。
また、既存の壁にも収納ボックスごと手すりを埋設して、良好に施工することができるものとなる。
【００１８】
また、収納ボックスには、照明手段を設けたことにより、照明手段により、手すりの場所を良好に知らせることができ、夜間等に、廊下や階段等の手すりの使用が容易なものとなる効果を有する。
【図面の簡単な説明】
【図１】壁に収納ボックスを埋設した手すりの設置状態の要部斜視構成図である。
【図２】図１の縦断面拡大構成図である。
【図３】室内側から壁を見た状態の正面構成図である。
【図４】トイレの壁に縦方向に収納ボックスを設置した状態の別例を示す斜視構成図である。
【符号の説明】
１    壁
１ａ    壁支持面
２    収納ボックス
２ａ    上面片
２ｂ    背面片
２ｃ    底面片
３    軸受部
４    手すり
４ａ    握り部
４ｂ    アーム部
５    透光板
６    係止部材
６ａ    固定片
６ｂ    係止部
６ｃ    ガイド片
７    照明ランプ
８    柱
【図１】
2004162317.tif 000003
【図２】
2004162317.tif 000004
【図３】
2004162317.tif 000005
【図４】
2004162317.tif 000006